【事件の表示】
　特許第２８４２７９９号「貼合機」の特許に対する特許異議の申立てについて、次のとおり決定する。
【結　論】
　特許第２８４２７９９号の特許を取り消す。
【理　由】
（１）本件発明
　本件請求項１に係る発明（以下「本件発明」という。）は、特許明細書及び図面の記載からみて、その特許請求の範囲の請求項１に記載された次の事項によって特定されるとおりのものと認める。
「表紙を供給する表紙供給装置と、表紙供給装置からの表紙に糊付する糊付装置と、糊付装置からの表紙を吸着しながら水平に搬送して前段位置で一時停止させた後に再搬送して所定の後段位置に位置決め停止させる表紙吸着搬送装置と、芯材を保持しながら搬送して位置決めされた表紙の上に貼合させる芯材保持搬送装置とから構成され、前記表紙吸着搬送装置は、前後のローラと、ローラに掛け渡されて全面に多数の貫孔が穿設されたベルトと、ベルトの上側ベルト部の下側に摺接可能に設けられてその上壁には多数の貫孔が穿設された吸着ボックスと、吸着ボックスに接続された負圧発生器と、ローラを回転させるサーボモータと、表紙の前端位置を検出する検出器と、サーボモータを一定周期で回転・停止させると共に検出器からの信号に基づきサーボモータを所定時間後に停止させる制御器とから成っている事を特徴とする貼合機。」
（２）引用刊行物記載の発明
当審が通知した取消理由に引用した引用例１（特開昭５９−１８７５３０号公報）には、「本発明は、たとえば壁紙見本等の紙葉片状の見本を台紙に自動的に貼付ける見本自動貼付装置に関する。」（第２頁左上欄第７〜９行）、「上記第１見本貼付ユニット２２は、台紙供給機構２５、台紙移送装置２６、糊付機構２７、貼合せ機構２８、見本供給機構２９、見本移送装置３０、およびプレス機構３１が組込まれた構成となっている。」（第３頁左上欄第１６〜２０行、第３〜５図）、「また、第１見本貼付ユニット２２の台紙供給機構２５、台紙移送装置２６、糊付機構２７、貼合せ機構２８，プレス機構３１は装置本体３９の一端側（図中左側）に直線的に配置されている。」（第３頁右上欄第５〜９行、第１〜３図）、「上記装置本体３９の貼合せ機構２８、３４に対応する位置には台紙移送路４０と直交する方向に突出する架台４１、４１が連設されており、これら架台４１、４１上には前記見本供給機構２９、３５，および見本移送装置３０、３６が設けられていて、台紙２０の移送方向と直交する方向から見本２１…を貼合せ機構２８、３４部に送り込むようになっている。
　また、上記台紙移送装置２６、３２には位置修正機構４２がそれぞれ組込まれているとともに見本移送装置３０、３６には位置修正機構４３および欠落チェック機構４４がそれぞれ組込まれている。」（第３頁左下欄第１〜１３行、第１〜３図）、「また、貼合せ機構２８は、糊付機構２７によって見本被貼付部２０ａ…に糊７８が塗布された台紙２０を移送する移送路４０ｃが形成されており、この移送路４０ｃを挟んで上下プレス盤８０、８１を配置した構成となっている。上記移送路４０ｃは搬送ベルト８２…の上面側に形成されているとともに搬送ベルト８２…には適宜押えローラ８３が転設していて台紙２０を搬送ベルト８２…に押付けるようになっている。また、下プレス盤８１と移送路４０ｃとの間には移送路４０ｃと直交する方向から後述する見本移送装置３０のガイド体８４…が延出していて移送路４０ｃの下面側に見本２１…を供給できるようになっている。
　上記下プレス盤８１の上面には上記ガイド体８４…の底部に形成されたスリット８４ａ…と入れ子状態になる押圧体８５…が突設されている。そして、第６図（ｄ）の二点鎖線で示すように下プレス盤８１が上昇することにより各ガイド体８４…内の見本２１…を上方に押出し、上プレス盤８０により上面が押えられた台紙２０の見本被貼付部２０ａ…に見本２１…を押付けて、貼付けるようになっている。」（第５頁右上欄第４行〜同頁左下欄第６行、第６図（ａ）〜（ｅ））と記載されている。
　同じく引用した引用例２（特開平４−５７７３０号公報）には、「支持台紙５を水平に搬送供給する水平搬送供給手段Ａと、該水平搬送供給手段Ａの下側に対峙し且つ該支持台紙供給搬送方向と直交する側方外方に水平に摺動移動可能な移動機構を備える貼着シート積載マガジンケース１２と、該マガジンケース内に積載されている貼着シート３を下部より支持し且つ水平に搬送供給される支持台紙の下面に該貼着シートを供給する上昇下降機構とを備える貼着シート供給手段Ｃと、該水平搬送手段Ａの上側に水平に対峙し且つ水平に間欠的に搬送供給される前記支持台紙上側より該支持台紙５を押圧する押圧手段Ｄとを備え、前記貼着シート供給手段Ｃと押圧手段Ｄとの間に供給される支持台紙５と貼着シート３とを該両手段Ｃ、Ｄによって互いに対向押圧することにより、支持台紙５に貼着シート３を貼着することを特徴とするシート自動貼着装置。」（特許請求の範囲）、「本発明装置の水平搬送供給機構Ａのエンドレスチェーン９は貼着シート供給機構Ｃと押圧機構Ｄの複数併設間隔を１ピッチとして間欠的に回転走行し、貼着シート供給機構Ｃと押圧機構Ｄとの間に支持台紙５を供給して停止し、その間に該供給機構Ｃは上昇し、押圧機構でゃ下降して、該機構ＣとＤによって貼着シート３を支持台紙５裏面に供給しつつ押圧して貼着するものである。」（第３頁左下欄第６〜１３行、第１図）と記載されている。
　同じく引用した引用例３（特開平２−２７６７５７号公報）には、「シートを搬送する搬送手段と、前記シートを吸着する手段とを具備して成り、前記シートを前記吸着手段の吸着作用により前記搬送手段に密着させながら搬送するシート搬送装置において、前記搬送手段に沿って移動可能なガイド手段を設け、当該ガイド手段が供給されてきた前記シートの先端部を支持しながら前記移動を行うようにしたことを特徴とするシート搬送装置。」（特許請求の範囲）、「この電子写真製版機は、・・・、帯電されたマスターペーパー４の搬送手段である間隔を開けて複数本から成るベルと５と、このベルト５を検架して駆動用モータＭ１により駆動するローラ１５ａ、１５ｂと、マスターペーパー４の裏面（・・・）を吸着して保持するバキュームチャンバ１６と、バキュームチャンバ１６内の空気を減圧する真空ポンプ１７と、マスターペーパー４が供給されてきたことを検出する検出器Ｄ４と、・・・とで構成されている。
　このような構成において、その動作例を説明すると、マスターペーパー供給部１３から供給されてくるマスターペーパー４の先端を検出器Ｄ４が検出して検出信号を駆動手段２０に入力すると、駆動手段２０が電磁バルブ１９を開け、真空ポンプ１７がバキュームチャンバ１６内の空気を減圧し、バキュームチャンバ１６の表面のベルト５の間隔に多数穿孔される吸着孔でマスターペーパー４を吸着する。そして、ローラ１５ａ、１５ｂの回転によりマスターペーパー４をベルト５の表面に吸着させた状態で所定量搬送すると、カッター６が所定長さに切断し、切断したマスターペーパー４をベルト５により再度吸着搬送する。」（第２頁左上欄第８行〜同頁左下欄第５行、第１０、１１図）と記載されている。
　同じく引用した引用例４（特開昭６０−９３０５５号公報）には、「このエンドレスベルト搬送機構Ｂ、Ｃにおいては、駆動ローラ５及び被動ローラ６にエンドレスベルト７が張架されており、駆動ローラ５はモータ９により減速機１０を介して間欠駆動され、これに応じてエンドレスベルト７は間欠駆動し、基材１は所定のリピート長Ｌで間欠送りされる。　・・・
　このエンドレスベルト搬送機構Ｂ、Ｃにおいて重要な特徴は、エンドレスベルト７として多数の小孔が形成されたメッシュベルトを使用し、該メッシュベルト７の搬送側下方に吸引テーブル８を設けることにある。即ち吸引テーブル８は夫々真空ポンプ或いは排風機１２に連結されており、吸引圧を利用して基材１の搬送が行われる。
　この吸引テーブル８とメッシュベルトとの位置関係及びその構造を説明するための第２図及び第３図を参照して、吸引テーブル８は搬送側のメッシュベルト７の下方に近接する位置関係に機台（図示せず）に固定されている。
　またこの吸引テーブル８の上面には多数の小孔８Ａが全面にほぼ均等に設けられており、下面乃至側面には吸引パイプ１３が接続されて真空ポンプ或いは排風機１２に通じており、これの動作により中空室８Ｂは真空乃至負圧となる。
　即ちメッシュベルト７上の基材１を搬送するに際し、真空ポンプ或いは排風機１２を動作させれば、吸引テーブル８の中空室８Ｂが真空乃至負圧となるために、基材１はメッシュベルト７上に密着した状態となり、位置ずれ等のトラブルがなくスムーズに印刷域に搬送される。
　メッシュベルト７にはメッシュ小孔７Ａが形成されているが、搬送すべき基材１の全面に吸引効果を与え、また印刷面の平滑性の見地からハイメッシュである方が便利である。
　・・・
　再び第１図に戻って、本発明においては真空ポンプ或いは排風機１２の動作によって基材１の全面に吸引力が働くので基材１がメッシュベルト７に密着した状態で該ベルト７と一体となった状態で処理域に搬送される。この際、メッシュベルト７の停止時においても吸引動作を継続して行うことにより、基材１はメッシュベルト７上に密着した状態で固定されるので、位置ずれ、伸縮等がなくスムーズに正確な印刷が施される。
　更にこのエンドレスベルト搬送機構Ｂ、Ｃにおいては、第１の処理（この場合には箔押し）に先立って基材１に各送り毎のマークをプリントし、続いて行う処理において各送り毎のマークを検出してメッシュベルト７の送り長さを制御する。
　・・・
　最初の処理域の前には上記マークを検出するための検出機構３、４が設けられる。この検出機構は例えば光線の反射によりマークを検出する光電装置から成っており、好適にはメッシュベルト７の移動に関して、前方に位置する減速信号用の検出装置３と後方に位置する停止用の検出装置４とが対をなして設けられている。
　即ち、減速信号用の検出装置３が基材１に施されたマークを検出することにより駆動モータ９が減速し、次いで停止信号用の検出装置４がマークを検出し、駆動モータ９が停止することによりメッシュベルト７の間欠駆動が行われる。
　これらの検出機構３及び４はベルトの進行方向に対して位置調節可能に設けられており、ベルト７の送り長さ（リピート長）に応じて任意に調節可能である。
　即ち、マーキング装置２によるマーク位置と検出機構４との距離Ｌがベルト７の間欠送り長さに対応する。」（第３頁左上欄第１４行〜第４頁右上欄第４行、第１〜３図）と記載されている。
　同じく引用した引用例５（実開昭６２−１１３１４２号公報）には、「本文に詳述し添付の図面に示す如く、真空胴５の平滑な表面に真空ダクト６に通じる真空ポート７を多数設け、この多数の全ての真空ポート７の外周上に接するベルト１１を設置し、ベルト１１と真空胴５との接合面にランド１０を形成せしめ、かつ、ベルト１１の表面と裏面とを貫通する吸板穴８を、ベルト１１に送りがかけられて、ベルト１１が移行したある位置で、真空ポート７上に吸板穴８がかさなる如きベルト１１上の位置に多数あけたる構成を構造の特徴としたる、真空ダクト６の空気を真空ポンプにて吸引排気してテープをベルト１１表面に吸引密着せしめてベルトの動きにしたがって送りをかける装置。」（実用新案登録請求の範囲）、「第１図は本考案による装置の組立図であり、その構成要素の、１はフレーム、２は主ローラ、３は補助ローラ４は駆動ロール、５は真空胴、６は真空ダクト、７は真空ポート、８は吸板穴、９はテープ、１０はランド、１１はベルトである」（図面の簡単な説明、第１図）と記載されている。
（３）対比・判断
　本件発明と、引用例１に記載される発明（以下「引用発明」という）とを比較すると、引用発明においては、台紙に糊を付け、この糊付けされた台紙に紙葉片状の見本を貼合せる装置であり、本件発明は、表紙に糊を付け、この糊付けされた表紙に芯材を貼合せる装置であること、引用発明における「台紙」も、本件発明における「表紙」も「シート状の紙」であること及び引用発明において「見本」も「シート状の紙」の一種であり、本件発明において、「芯材」は、この「シート状の紙」を含むことは、本件発明の実施例の記載から見て明白である。したがって、引用発明における「台紙」、「台紙供給機構」、「見本」、「見本供給機構及び見本移送装置」、「見本自動貼付装置」が、本件発明における「表紙」、「表紙供給装置」、「芯材」、「芯材保持搬送装置」、「貼合機」に相当するものと認められる。また、引用例において、糊付けされた台紙２０は、貼合せ機構２８へ搬送ベルト８２により形成される移送路４０ｃ上を水平に搬送されることは、その機構２８の構成及び図面（第３、４及び６（ｄ）図参照）から明白である。してみれば、両者は、表紙を供給する表紙供給装置と、表紙供給装置からの表紙に糊付する糊付装置と、糊付装置からの表紙を水平に搬送する搬送装置と芯材を保持しながら搬送して表紙の上に貼合させる芯材保持搬送装置とから構成される貼合機である点で一致し、表紙搬送装置に関し、本件発明は、糊付装置からの表紙を吸着しながら水平に搬送して前段位置で一時停止させた後に再搬送して所定の後段位置に位置決め停止させる表紙吸着搬送装置であり、その具体的構成が、前後のローラと、ローラに掛け渡されて全面に多数の貫孔が穿設されたベルトと、ベルトの上側ベルト部の下側に摺接可能に設けられてその上壁には多数の貫孔が穿設された吸着ボックスと、吸着ボックスに接続された負圧発生器と、ローラを回転させるサーボモータと、表紙の前端位置を検出する検出器と、サーボモータを一定周期で回転・停止させると共に検出器からの信号に基づきサーボモータを所定時間後に停止させる制御器とから成っているのに対して、引用発明は、この構成が何等記載されていない点で相違する。
  上記相違点について検討する。引用発明のように貼合せ機構が搬送方向に対して動くことがなく、かつ連続的に台紙を供給しながら該台紙に見本を貼合せる装置は、引用例２に記載される発明からも理解されるように、その貼合せ位置において一端搬送機構（搬送ベルト）を停止させて（即ち、搬送機構である搬送ベルトを間欠的に駆動させることになる。）貼合せるのが普通に採用される技術的事項である。このように搬送機構が間欠的の駆動される場合、搬送機構によって供給される台紙は、この台紙が連続的に供給されることを勘案すれば、本件発明と同様に、貼り合わせ位置の前段で一時停止し、その後再搬送されて所定の位置（貼り合わせ位置）に位置決め停止されることは自明の事項であり、引用発明において、前段位置で一時停止させた後に再搬送して所定の後段位置に位置決め停止させるという構成を付加した点に、格別の困難性は認められない。また、搬送機構の具体的構成については、引用例４に記載されるように、本件出願前周知の技術であり（他に、引用例３または５参照）、この具体的搬送機構を引用発明の搬送機構として採用することは、当業者であれば、容易に想到し得るものと認められる。さらに、その奏する作用効果についても、引用発明および引用例２乃至５に記載される発明から予測し得る範囲内のものであり、格別のものとも認められない。
  意見書において、特許権者は、引用例４に対して、基材１は連続したものであって、所定寸法に裁断されたものではないので、本件特許の表紙Ａのような前端位置というものが無いから、本件発明の構成とは異なり、その奏する作用効果も異なる旨主張する。引用例４に記載される発明は、基材１が連続したシートいわゆるウエブ状のものであるとしてもマーク位置の間隔は所定の間欠送り長さであり、処理域の前段である検出装置４によりこのマークを検出した位置で一旦停止し、その後再搬送してこのマーク位置の間隔の長さ分だけ搬送されて停止されることは明白である。他方、本件発明においては、確かに搬送される表紙は、所定の寸法に裁断されたシートであり、検出器はその表紙の前端位置を検出するものであるとしても、本件発明も、この表紙が連続的に送られるものであることは、願書に添付された明細書の発明の詳細な説明から明白であり、処理域即ち貼り合わせ位置の前段位置で停止された表紙は、その後次の表紙の前端位置が検出されるまでの所定長さ分だけ再搬送されて処理域に達するものである。したがって、引用例４に記載される搬送機構と、本件発明における搬送機構との相違は、前段位置で停止し、その後所定長さ再搬送する制御を、マーク検出信号によるか、裁断された表紙の前端位置の検出信号によるかの差異にすぎず、この検出機構の差異は、結局搬送されるものの差異によるものと言える。ところで、裁断されたシートを間欠送りする場合に、その前端位置を検出してその搬送を制御することは、例えば引用例３に記載されるように本件出願前普通に行われていることであり、引用発明あるいは本件発明のように裁断されたシートを搬送する場合に、引用例３に記載される技術を引用例４に記載される搬送機構に適用してなることは、適宜なし得る設計事項であり、よって、引用例４に記載される搬送機構が、本件発明の搬送機構と異なるとの出願人の主張は採用できない。
（４）むすび
　以上のとおり、本件請求項１にかかる発明は、上記引用例１〜５に記載された発明に基づいて当業者が容易に発明することができたものであり、本件請求項１に係る発明に対してなされた特許は、特許法第２９条第２項の規定に違反してなされたものである。
　したがって、本件請求項１に係る発明に対してなされた特許は、平成６年法律第１１６号附則第１４条に基づく平成７年政令第２０５号第４条第２項に該当する。
　よって、結論のとおり決定する。
【異議決定日】
平成１２年２月１８日（２０００．２．１８）